(57)【要約】      （修正有）【課題】手持ちの電動式工具を活用して、短時間で容易にネジ穴内の塗装を除去する電動式のエレベータの据付工具を提供する。【解決手段】エレベータの据付工具は、電動インパクトレンチ１と、タップ２と、一方の端部に電動インパクトレンチのチャック部１ａに接続可能な形状の接続部３ａが設けられるとともに他端部にタップに接続可能な形状の接続部３ｂが設けられる棒状のアダプター３と、を有し、アダプターに電動インパクトレンチおよびタップを接続し、電動インパクトレンチによりタップを回転する。【選択図】図１
2011051701.tif 000002
【特許請求の範囲】
【請求項１】
電動インパクトレンチと、
タップと、
一方の端部に上記電動インパクトレンチのチャック部に接続可能な形状の接続部が設けられるとともに他端部に上記タップに接続可能な形状の接続部が設けられる棒状のアダプターと、
を有し、
上記アダプターに上記電動インパクトレンチおよび上記タップを接続し、上記電動インパクトレンチにより上記タップを回転することを特徴とするエレベータの据付工具。
【請求項２】
電動ドライバーと、
タップと、
一方の端部に上記電動ドライバーのチャック部に接続可能な形状の接続部が設けられるとともに他端部に上記タップに接続可能な形状の接続部が設けられる棒状のアダプターと、
を有し、
上記アダプターに上記電動ドライバーおよび上記タップを接続し、上記電動ドライバーにより上記タップを回転することを特徴とするエレベータの据付工具。
【発明の詳細な説明】
【技術分野】
【０００１】
この発明は、エレベータ部品を組み合わせてエレベータを組み立てときに使用するエレベータの据付工具に関するものである。
【背景技術】
【０００２】
エレベータ部品は通常穴加工などを施してから塗装されているが、エレベータ部品を組み立てるために穴から塗装を剥がす必要がある。そして、塗装除去方法として、溶剤により溶かして拭き取る方法もあるが、シンナー等の人体に悪影響を及ぼす恐れのある溶剤を使用せざるを得なかったり、作業のための換気装置も必要となったり、拭き取り後のウエスなど廃棄物も生じたりする。また、溶剤では必要箇所（ネジ穴内）のみ塗装を除去することも難しい。
そこで、タップをタップホルダーやタップレンチに取り付け、手動で回転させてネジ穴内に挿入することで、ネジ穴内の塗装を除去していた（例えば、特許文献１参照）。
【先行技術文献】
【特許文献】
【０００３】
【特許文献１】特開２００７−０４４５７５号公報
【発明の概要】
【発明が解決しようとする課題】
【０００４】
しかし、従来の方法は、手動では一度に１８０°〜３６０°程度しかタップを回転させることができないため、エレベータ部品に設けられたネジ穴数が多い場合には、塗装除去作業に多くの時間を要している。
また、ネジ穴内の塗装付着量が多い場合やネジ穴の径が大きい場合にも、疲労度が増している。
【０００５】
また、一般に市販の安価・軽量な充電式などの手持ち電動ネジ締め機では、小ネジをネジ締めする程度の細いチャック部しか持たないものが多く、大径の軸を接続できるようにはなっていない。
また、チャック部形状も六角断面などの規定寸法断面の軸しか取付けることができず、タップの端部とは形状、寸法が一致しないため、接続ができない。
【０００６】
この発明は、前記のような課題を解決するためになされたものであり、手持ちの電動式工具を活用して、短時間で容易にネジ穴内の塗装を除去する電動式のエレベータの据付工具を提供することである。
【課題を解決するための手段】
【０００７】
この発明に係るエレベータの据付工具は、電動インパクトレンチと、タップと、一方の端部に上記電動インパクトレンチのチャック部に接続可能な形状の接続部が設けられるとともに他端部に上記タップに接続可能な形状の接続部が設けられる棒状のアダプターと、を有し、上記アダプターに上記電動インパクトレンチおよび上記タップを接続し、上記電動インパクトレンチにより上記タップを回転する。
【発明の効果】
【０００８】
この発明に係るエレベータの据付工具は、電動インパクトレンチとタップとを接続するアダプターを提供することにより、電動式の塗装除去工具が構成することができ、短時間で容易にネジ穴内の塗装を除去することができ、溶剤、換気装置、廃棄物を無くすことができるという効果を奏する。
【図面の簡単な説明】
【０００９】
【図１】この発明の実施の形態１に係るエレベータの据付工具の組立図である。
【図２】この発明の実施の形態１に係るアダプターの外観図である。
【図３】この発明の実施の形態２に係るエレベータの据付工具の組立図である。
【発明を実施するための形態】
【００１０】
以下、本発明のエレベータの据付工具の好適な実施の形態につき図面を用いて説明する。
実施の形態１．
図１は、この発明の実施の形態１に係るエレベータの据付工具の組立図である。
この発明の実施の形態１に係るエレベータの据付工具は、手持ちの電動インパクトレンチ１とタップ２を用いて、エレベータ部品のネジ穴内の塗料を除去する際に使われる。そして、この発明の実施の形態１に係るエレベータの据付工具は、図１に示すように、電動インパクトレンチ１と、タップ２と、棒状のアダプター３と、を接続して組み立てられるものである。
アダプター３は、一方の端部に電動インパクトレンチ１のチャック部１ａに接続可能な形状の第１接続部３ａが設けられるとともに他端部にタップ２に接続可能な形状の第２接続部３ｂが設けられている。
【００１１】
このエレベータの据付工具の使用に先立って、電動インパクトレンチ１のチャック部１ａをアダプター３の第１接続部３ａに嵌め込んで接続し、次にタップ２の挿入部２ａをアダプター３の第２接続部３ｂに挿入して接続する。
一方、エレベータ部品は防食などのために塗装が施されるが、通常ネジ穴を加工した後で塗装されるので、ネジ穴内にも塗装が付着している。複数のエレベータ部品を組み立てるときにはエレベータ部品のネジ穴にボルトを挿入するが、事前にネジ穴内の塗装を除去しなければボルトを挿入することができず、適正な締め付けトルクでボルトを締め付けることもできない。そこで、事前にネジ穴内の塗装を除去する必要がある。
上述のように組み立てた据付工具を用いてネジ穴内の塗装を剥がす。タップ２の先端２ｂをネジ穴の位置に向け、電動インパクトレンチ１の図示しないスイッチをＯＮしてタップ２を回転しながらタップ２の先端を進めていく。
このようにすることによりネジ穴内を埋めている塗装を取り除いてボルトを挿入することができる。
【００１２】
この発明の実施の形態１に係るエレベータの据付工具は、電動インパクトレンチ１とタップ２とをアダプター３を介して組み立て、電動インパクトレンチ１でタップ２を回転してネジ穴内の塗装を剥がすので、人手による遅い回転より格段に早くタップ２を回転できる。それゆえ、塗装を速やかに剥がすことができるし、エレベータ部品の組立もスピーディに行うことができる。
また、手持ちの電動インパクトレンチ１やタップ２を活用し得るので、新たにアダプター３だけを用意すれば良く、費用が少なくてすむ。
【００１３】
実施の形態２．
図３は、この発明の実施の形態２に係るエレベータの据付工具の組立図である。
この発明の実施の形態２に係るエレベータの据付工具は、手持ちの充電式の電動ドライバー４とタップ５を用いて、エレベータ部品のネジ穴内の塗料を除去する際に使われる。そして、この発明の実施の形態２に係るエレベータの据付工具は、図３に示すように、充電式の電動ドライバー４と、大径のタップ５と、棒状のアダプター６と、を接続して組み立てられるものである。
アダプター６は、一方の端部に電動ドライバー４の被挿入部４ａに接続可能な形状の第３接続部６ａが設けられるとともに他端部にタップ５の挿入部５ａが挿入される第４接続部６ｂが設けられている。
【００１４】
このエレベータの据付工具の使用に先立って、充電式の電動ドライバー４を充電して満充電状態にしておく。次に、電動ドライバー４の被挿入部４ａにアダプター６の第１接続部６ａを嵌め込んで接続し、タップ５の挿入部５ａをアダプター６の第２接続部６ｂに挿入して接続する。
上述のように組み立てた据付工具を用いてネジ穴内の塗装を剥がす。タップ５の先端５ｂをネジ穴の位置に向け、電動ドライバー４の図示しないスイッチをＯＮしてタップ５を回転しながらタップ５の先端５ｂを進めていく。
このようにすることによりネジ穴内を埋めている塗装を取り除いてボルトを挿入することができる。
【００１５】
この発明の実施の形態２に係るエレベータの据付工具は、電動ドライバー４とタップ５とをアダプター６を介して組み立て、電動ドライバー４でタップ５を回転してネジ穴内の塗装を剥がすので、人手による遅い回転より格段に早くタップ５を回転できる。それゆえ、塗装を速やかに剥がすことができるし、エレベータ部品の組立もスピーディに行うことができる。
【００１６】
また、この発明の実施の形態２に係るエレベータの据付工具は、アダプター６の第４接続部６ｂの径を大径化することにより、大径のタップ５も取付けることができるので、大きな径から小さな径のネジ穴内の塗装を剥がすことができる。
【符号の説明】
【００１７】
１  電動インパクトレンチ、１ａ  チャック部、２  タップ、２ａ  挿入部、２ｂ  先端、３  アダプター、３ａ  第１接続部、３ｂ  第２接続部、４  電動ドライバー、４ａ  被挿入部、５  タップ、５ａ  挿入部、５ｂ  先端、６  アダプター、６ａ  第３接続部、６ｂ  第４接続部。
【図１】
2011051701.tif 000003
【図２】
2011051701.tif 000004
【図３】
2011051701.tif 000005